(57)【特許請求の範囲】
【請求項１】
外縁から立ち上がるように形成された立壁部を有する浴槽本体と、
前記浴槽本体の外側面を覆うように設けられるエプロンと、
前記エプロンの幅方向の端部及び前記立壁部に取り付けられて前記エプロンと前記浴槽本体とを連結する連結部材と、を備え、
前記連結部材は、前記エプロンに取り付けられるエプロン側連結部と、前記立壁部に取り付けられる立壁側連結部とを有し、
前記エプロン側連結部は、前記エプロンの前面に設けられた取り付け面に当接して前記エプロンに取り付けられ、
前記立壁側連結部は、断面鉤状に形成されており、前記立壁部の上端に引っ掛けられるような形態で前記立壁部に取り付けられており、
前記エプロン側連結部の前記エプロンとの当接面と、前記立壁側連結部の一面であって前記立壁部の上端に引っ掛けられた状態で前記立壁部の側面と対向する面とは、互いに交差する方向に延びる形態でそれぞれ形成されていることを特徴とする浴槽ユニット。
【発明の詳細な説明】
【技術分野】
【０００１】
本発明は浴槽ユニットに関するものである。
【背景技術】
【０００２】
特許文献１は従来の浴槽ユニットを開示している。この浴槽ユニットは、浴槽及びエプロンを備えている。浴槽は、その上端のフランジ部から垂下状に一体形成されたボス部を有している。エプロンは、その上端に、浴槽側へ水平に延びる上端水平部を有している。そして、浴槽とエプロンは、ボス部と上端水平部とをボルト及び蝶ナットを用いて締結することにより連結される。締結作業は、エプロンに形成された点検口に洗い場側から手を入れて行われる。
【先行技術文献】
【特許文献】
【０００３】
【特許文献１】特開２００５−２７８６０号公報
【発明の概要】
【発明が解決しようとする課題】
【０００４】
しかし、上記のような締結箇所は、通常は幅方向に複数箇所設けられるが、浴槽下部や床面、上下水配管等の点検に用いる点検口は、１つしか設けられないことがある。このため、特許文献１の場合、締結作業に用いるために、点検口を２箇所設けて対応している。そしてこの場合、点検口を設けるための加工とその開口を覆うための蓋が２箇所分必要であり、コストの面で難があった。
【０００５】
本発明は、上記従来の実情に鑑みてなされたものであって、低コストであり、連結作業が容易な浴槽ユニットを提供することを解決すべき課題としている。
【課題を解決するための手段】
【０００６】
本発明の浴槽ユニットは、外縁から立ち上がるように形成された立壁部を有する浴槽本体と、
前記浴槽本体の外側面を覆うように設けられるエプロンと、
前記エプロンの幅方向の端部及び前記立壁部に取り付けられて前記エプロンと前記浴槽本体とを連結する連結部材と、を備えることを特徴とする。
【０００７】
この浴槽ユニットは、浴槽本体とエプロンとを連結する連結部材を備えている。連結部材は、エプロンの幅方向の端部と、浴槽本体の外縁から立ち上がる立壁部と、に取り付けられることにより、浴槽本体とエプロンとを連結する。すなわち、連結部材による連結作業は、浴槽本体及びエプロンの端部で行われる。このため、点検口等の開口を利用することなく作業を行うことができる。よって、連結作業のために開口を設ける必要がなく、コスト面で有利である。また、連結作業は、開口に手を入れて行う等の制限が課されないので、容易に行うことができる。
【０００８】
したがって、本発明の浴槽ユニットは、低コストであり、連結作業を容易に行うことができる。
【図面の簡単な説明】
【０００９】
【図１】実施例１に係る浴槽ユニットを示す斜視図である。
【図２】実施例１に係る浴槽ユニットの要部を示す斜視図である。
【図３】実施例１に係る浴槽ユニットの要部を示す浴槽の外側から見た側面図である。
【図４】実施例１に係る浴槽ユニットの要部を示す洗い場側から浴槽を見た正面図である。
【図５】実施例２に係る浴槽ユニットの要部を示す斜視図である。
【図６】実施例２に係る浴槽ユニットの要部を示す洗い場側から浴槽を見た部分断面正面図である。
【発明を実施するための形態】
【００１０】
本発明における好ましい実施の形態を説明する。
【００１１】
本発明の浴槽ユニットにおいて、前記連結部材は、前記エプロンに取り付けられるエプロン側連結部を有し、
前記エプロン側連結部は、前記エプロンの前面に設けられた取り付け面に当接して前記エプロンに取り付けられ得る。この場合、連結部材をエプロンに取り付ける作業をエプロンの前面側から行うことができ、より良好な作業性を実現できる。
【００１２】
本発明の浴槽ユニットにおいて、前記連結部材は、前記立壁部に取り付けられる立壁側連結部を有し、
前記立壁側連結部は、断面鉤状に形成されており、前記立壁部の上端に引っ掛けられるような形態で前記立壁部に取り付けられ得る。この場合、連結部材を立壁部に上から引っ掛けることで取り付けることができ、より良好な作業性で連結部材を取り付けることができる。
【００１３】
本発明の浴槽ユニットにおいて、前記エプロンには、上端部から前記浴槽本体側へ延びる延設部が形成されており、
前記連結部材は、前記立壁部の上面と前記延設部の下面とを上下で挟み込むようにして取り付けられ得る。この場合、立壁部の上面と延設部の下面とを上下で挟み込むという簡易な方法で連結部材による連結が行われる。このため、より良好な作業性で連結部材を取り付けることができる。
【００１４】
次に、本発明の浴室ユニットを具体化した実施例１及び２について、図面を参照しつつ説明する。なお、以下の説明では、便宜上、鉛直方向を上下方向とする。そして、浴槽ユニット１と洗い場床２の並ぶ方向を前後方向とし、洗い場床２側を前側、浴槽ユニット１側を後側とする。そして、上記上下方向及び上記前後方向と直交する方向を左右方向とする。
【００１５】
＜実施例１＞
実施例１の浴槽ユニット１は、図１〜図４に示すように、浴槽本体１０、エプロン２０、及び連結部材３０を備えている。浴槽本体１０は立壁部１１を有している。立壁部１１は、浴槽本体１０の外縁から立ち上がるように形成されている。また、浴槽本体１０は、浴槽部１２、フランジ部１３、壁載置部１４、前垂れ部１５、及び垂下部１６を有している。これら立壁部１１、浴槽部１２、フランジ部１３、壁載置部１４、前垂れ部１５、及び垂下部１６は一体成形されている。
【００１６】
浴槽部１２は上面が開放された箱状に形成されている。フランジ部１３は、浴槽部１２の上端周縁から外側方向に広がるように形成されている。壁載置部１４は、フランジ部１３の洗い場床２側の面を除く３面に設けられており、浴室の内壁を構成する壁部材（図示せず）が載置される。壁載置部１４は、フランジ部１３の外縁から更に外側方向へ広がるように形成されている。
【００１７】
前垂れ部１５は、浴槽本体１０の洗い場床２側の面に形成されているフランジ部１３の外縁から下方に延びるように形成されている。垂下部１６は、前垂れ部１５の後側にフランジ部１３から垂下して形成されている。
【００１８】
立壁部１１は、壁載置部１４の外縁から立ち上がるように形成されている。すなわち、立壁部１１は、壁載置部１４の壁部材が載置される部分よりも外側に設けられている。立壁部１１はいわゆる水返しであり、浴室の外側へ出ようとする水を堰き止めて浴室側へ戻すように立設されている。
【００１９】
エプロン２０は、浴槽本体１０の外側面を覆うように設けられる。エプロン２０は、洗い場床２を構成する床面部２Ａと一体成形されている。したがって、エプロン２０は、浴槽本体１０の洗い場床２側の外側面を覆う。図３に示すように、エプロン２０の上端部は、浴槽本体１０の前垂れ部１５の後側に入り込んで浴槽本体１０に連結されるように形成されている。エプロン２０の上端部には、図３及び図４に示すように、浴槽本体１０側へ横方向に延びる延設部２１が形成されている。
【００２０】
延設部２１は、エプロン２０が浴槽本体１０に連結される際には、その上面が、浴槽本体１０の垂下部１６の下面と当接するように設けられている。また、エプロン２０には開口部２２が形成されている。開口部２２は、エプロン２０の幅方向の端部のうちの一方の端部寄りの位置に形成されている。この開口部２２は、浴槽本体１０の下部や床面、上下水配管等の点検に用いられる点検口である。開口部２２は通常は蓋２３で閉塞されている。
【００２１】
連結部材３０は浴槽本体１０とエプロン２０とを連結する。連結部材３０は、図１〜図４に示すように、浴槽本体１０の立壁部１１とエプロン２０の幅方向（左右方向）の端部とに取り付けられる。すなわち、連結部材３０は、浴槽本体１０とエプロン２０とを左右方向の端部で連結する。連結部材３０は、略Ｌ字状に切断された板材の上端部及び側端部をそれぞれ内側に折り曲げたような形状をなしている。連結部材３０は、立壁側連結部３１及びエプロン側連結部３２を有している。立壁側連結部３１及びエプロン側連結部３２は、略Ｌ字状をなす連結部材３０の上端部及び側端部にそれぞれ位置する。
【００２２】
図４に示すように、立壁側連結部３１は断面鉤状に形成されている。立壁側連結部３１は、立壁部１１の上端に引っ掛けられるような形態で、浴槽本体１０の左右方向の外縁に設けられた立壁部１１に取り付けられる。立壁側連結部３１は、立壁部１１の内側（浴室側）からビス留めされて固定される。連結部材３０は、立壁側連結部３１を立壁部１１に引っ掛けた状態で、立壁部１１に沿って前後方向にスライド移動可能である。
【００２３】
エプロン側連結部３２は、エプロン２０の前面に設けられた取り付け面２０Ａに当接して、エプロン２０に取り付けられる。エプロン側連結部３２は、取り付け面２０Ａに対してビス留めされて取り付けられる。取り付け面２０Ａは、上下方向及び左右方向に略平行な平面に設けられている。連結部材３０は、この取り付け面２０Ａに平行な面内で、エプロン２０に対して取り付け位置を調整可能である。図３に示すように、取り付け面２０Ａは、エプロン２０の前面よりも後側（浴槽本体１０側）に後退して形成されている。そして、エプロン側連結部３２及びその取り付け用のビスは、エプロン２０の前面よりも前方に突出することなく取り付け面２０Ａに取り付けられる。
【００２４】
なお、本実施例１において、浴槽本体１０とエプロン２０との連結箇所は２箇所設けられている。２箇所の連結箇所のうちの一方は連結部材３０を用いた連結である。他方は、従来と同様の連結方法が採用されており、点検口としての開口部２２を利用した従来と同様の連結作業が行われる。
【００２５】
次に、上記のように構成された本実施例１の浴槽ユニット１の連結方法を説明する。なお、組立式浴室ユニットを組み立てる際には、通常、浴槽及び洗い場床を配置し、その後、壁部材が取り付けられる。
【００２６】
最初に、浴槽本体１０、及びエプロン２０が一体成形された洗い場床２を所定位置に配置する。このとき、エプロン２０は、延設部２１が浴槽本体１０の前垂れ部１５の後側に入れ込まれ、延設部２１の上面が垂下部１６の下面に当接又は対向した状態とされる。この状態で、連結部材３０を洗い場の上方から差し込み、立壁側連結部３１を立壁部１１に引っ掛ける。上述のように、浴槽本体１０及び洗い場床２を配置した状態では壁部材は取り付けられておらず、浴槽本体１０及びエプロン２０の側方には、建屋躯体との間の隙間が生じた状態となっている。連結部材３０はこの隙間を利用して差し込まれる。なお、本実施例１の連結部材３０は、上方から差し込んで取り付けるだけでなく、洗い場床２側から横方向（前後方向）に、立壁部１１に沿ってスライドさせて取り付けることも可能である。
【００２７】
そして、エプロン２０の上下位置の調整を行ってエプロン側連結部３２を締結する。エプロン側連結部３２の締結は、エプロン２０の前面側から行われる。また、このとき、立壁側連結部３１は、立壁部１１に引っ掛けられているのみの仮止め状態とされており、立壁部１１に沿ってスライド移動可能である。これを利用して、エプロン２０の前後方向の位置調整を行う。その後、前後方向の位置調整が完了したら、立壁側連結部３１を締結する。これにより、延設部２１の上面と垂下部１６の下面とが当接した状態で固定され、浴槽本体１０とエプロン２０が確実に連結される。その後、壁載置部１４に壁部材が載置されると、連結部材３０の各連結部３１，３２は壁部材で隠され、浴室側からは見えなくなる。
【００２８】
なお、本実施例１において、浴槽本体１０とエプロン２０との連結箇所は２箇所設けられている。２箇所の連結箇所のうちの一方は連結部材３０を用いた連結である。他方は、従来と同様の連結方法が採用されており、点検口としての開口部２２を利用した従来と同様の連結作業で行われる。
【００２９】
次に、上記のように構成された本実施例１の浴槽ユニット１の作用効果を説明する。浴槽ユニット１は、浴槽本体１０、エプロン２０、及びこれらを連結する連結部材３０を備えている。連結部材３０は、エプロン２０の幅方向（左右方向）の端部と、浴槽本体１０の外縁から立ち上がる立壁部１１と、に取り付けられることにより、浴槽本体１０とエプロン２０とを連結する。すなわち、連結部材３０による連結作業は、浴槽本体１０及びエプロン２０の端部で行われる。このため、点検口等の開口を利用することなく作業を行うことができる。よって、連結作業のための開口を設ける必要がなく、コスト面で有利である。また、連結作業は、開口に手を入れて行う等の制限が課されないので、容易に行うことができる。
【００３０】
したがって、本実施例１の浴槽ユニット１は、低コストであり、連結作業を容易に行うことができる。
【００３１】
また、連結部材３０は、エプロン２０に取り付けられるエプロン側連結部３２を有している。エプロン側連結部３２は、エプロン２０の前面に設けられた取り付け面２０Ａに当接してエプロン２０に取り付けられる。このため、連結部材３０をエプロン２０に取り付ける作業をエプロン２０の前面側から行うことができる。これにより、より良好な作業性を実現できる。また、取り付け面２０Ａはエプロン２０の前面に設けられている。このため、取り付け面２０Ａに平行な面内におけるエプロン２０の位置調整を容易に行うことができる。
【００３２】
また、連結部材３０は、立壁部１１に取り付けられる立壁側連結部３１を有している。立壁側連結部３１は、断面鉤状に形成されており、立壁部１１の上端に引っ掛けられるような形態で立壁部１１に取り付けられる。このため、連結部材３０を立壁部１１に上から引っ掛けることで取り付けることができ、より良好な作業性で連結部材３０を取り付けることができる。また、連結部材３０は、立壁側連結部３１により立壁部１１の上端に引っ掛けられるような形態で取り付けられるので、連結部材３０の仮固定を容易に行うことができるとともに、この仮固定の状態で立壁部１１に沿ってスライド移動させることで、浴槽本体１０とエプロン２０の前後方向の位置調整を容易に行うことができる。
【００３３】
また、連結部材３０は、浴槽本体１０及びエプロン２０の幅方向の端部に取り付けられる。具体的には、連結部材３０は、浴槽本体１０側では、壁載置部１４の外縁に形成された立壁部１１に取り付けられる。このため、壁部材が載置されると、連結部材３０は壁部材に隠れて見えなくなる。これにより、浴室の意匠性を向上させることができる。
【００３４】
＜実施例２＞
実施例２の浴槽ユニット１は、図５及び図６に示す連結部材１３０を備えている。連結部材１３０は、実施例１の連結部材３０と同様に、立壁部１１及びエプロン２０の幅方向の端部に取り付けられるが、立壁側連結部３１及びエプロン側連結部３２による連結形態において実施例１と相違する。他の構成は実施例１と同様であり、同一の構成は同一の符号を付して詳細な説明を省略する。
【００３５】
連結部材１３０は、立壁部１１の上面と延設部２１の下面とを上下で挟み込むようにして取り付けられる。連結部材１３０は、断面略Ｃ字状に形成されている。連結部材１３０は、上端部に設けられた立壁側連結部１３１が立壁部１１の上面に当接し、下端部に設けられたエプロン側連結部１３２がエプロン２０の延設部２１の下面に当接することで、立壁部１１及び延設部２１を上下で挟み込むようにされている。立壁側連結部１３１は、実施例１と同様に断面鉤状に形成され、立壁部１１の上方から引っ掛けられるようにして立壁部１１に取り付け可能とされている。エプロン側連結部１３２は、連結部材１３０の下端から延設部２１側に向かって延びる形態とされており、延設部２１の下面に当接可能に形成されている。
【００３６】
また、立壁部１１には立壁側係止部１１Ａが設けられており、立壁側連結部１３１には、立壁側係止部１１Ａに係止される立壁側被係止部１３１Ａが設けられている。立壁側係止部１１Ａは、浴槽本体１０の前後方向に延びる立壁部１１に対して略直交する方向に突出する凸状に形成されている。詳細には、本実施例２に係る立壁側係止部１１Ａは、立壁部１１の上端部から外側方向に突出するとともに、上下方向に延びる板状に形成されている。立壁側被係止部１３１Ａは、立壁側係止部１１Ａに係止可能なスリット形状（凹状）に形成されている。
【００３７】
また、延設部２１には、立壁側係止部１１Ａと同様のエプロン側係止部２１Ａが設けられており、エプロン側連結部には、エプロン側係止部２１Ａに係止されるエプロン側被係止部１３２Ａが設けられている。エプロン側係止部２１Ａは、立壁側係止部１１Ａの突出する方向と同方向に突出する凸状に形成されている。詳細には、エプロン側係止部２１Ａは、延設部２１の下端部から外側方向に突出するとともに、上下方向に延びる板状に形成されている。エプロン側被係止部１３２Ａは、エプロン側係止部２１Ａに係止可能なスリット形状（凹状）に形成されている。
【００３８】
上記のように構成された本実施例２の浴槽ユニット１の連結方法は、所定位置に配置された浴槽本体１０及びエプロン２０に対して、立壁部１１に立壁側連結部１３１を上方から引っ掛けるようにして取り付ける。このとき、立壁側係止部１１Ａと立壁側被係止部１３１Ａとが係止する位置に取り付ける。これら立壁側係止部１１Ａ及び立壁側被係止部１３１Ａが係止することにより、連結部材１３０の立壁部１１に対しての前後方向の動きが規制される。
【００３９】
次に、エプロン側連結部１３２を延設部２１の下面に当接させる。これにより、立壁部１１の上面と延設部２１の下面とが上下で挟み込まれた状態とされる。また、このとき、エプロン側係止部２１Ａとエプロン側被係止部１３２Ａとを係止させる。これにより、連結部材１３０の延設部２１に対しての前後方向の動きが規制されるとともに、連結部材１３０による浴槽本体１０及びエプロン２０の連結が完了する。
【００４０】
このように、実施例２の浴槽ユニット１は、連結部材１３０が立壁部１１の上面と延設部２１の下面とを上下で挟み込むようにして取り付けられている。このような簡易な方法で連結部材１３０による連結が行われるため、より良好な作業性で連結部材１３０を取り付けることができる。
また、立壁側係止部１１Ａ、及び立壁側係止部１１Ａに係止される立壁側被係止部１３１Ａを設けたので、ビス留め等の固定方法と比較して、より容易に連結部材を固定することができる。
【００４１】
本発明は上記記述及び図面によって説明した実施例に限定されるものではなく、例えば次のような実施例も本発明の技術的範囲に含まれる。
（１）実施例１及び２では、浴槽ユニット１の一方の端部を連結部材３０，１３０を用いた連結とし、他方を他の連結方法を用いた連結としたが、これに限定されず、例えば、両方の端部について本発明を適用してもよい。この場合、連結作業をより容易に行うことができる。
（２）実施例１では、ビス留めにより連結部材３０を固定するようにしたが、これに限定されず、例えば、実施例２にて採用した係止部及び被係止部など、他の固定手段を採用してもよい。
（３）実施例２では、板状（凸状）の係止部１１Ａ，２１Ａ、及びスリット形状（凹状）の被係止部１３１Ａ，１３２Ａを用いて位置決めを行う形態を例示したが、これに限定されず、凹状の係止部と凸状の被係止部の組み合わせとしてもよい。また、実施例１のようなビス留め等、他の手段により位置決め、固定等を行うようにしてもよい。例えば、連結部材１３０の上端部の立壁側連結部１３１について、実施例１のようなビス留めを採用した場合、仮止め時には前後方向の位置決めを容易に行うことができる。
（４）実施例１及び２では、洗い場床２の床面部２Ａと一体成形されたエプロン２０を例示したが、これに限定されず、別体に設けられたエプロンであってもよい。
【符号の説明】
【００４２】
１…浴槽ユニット
２…洗い場床
２Ａ…床面部
１０…浴槽本体
１１…立壁部
１１Ａ…立壁側係止部
１２…浴槽部
１３…フランジ部
１４…壁載置部
１５…前垂れ部
１６…垂下部
２０…エプロン
２０Ａ…（エプロン側連結部の）取り付け面
２１…延設部
２１Ａ…エプロン側係止部
２２…開口部
２３…蓋
３０，１３０…連結部材
３１，１３１…立壁側連結部
３２，１３２…エプロン側連結部
１３１Ａ…立壁側被係止部
１３２Ａ…エプロン側被係止部
【図１】
0006666634.tif 000002
【図２】
0006666634.tif 000003
【図３】
0006666634.tif 000004
【図４】
0006666634.tif 000005
【図５】
0006666634.tif 000006
【図６】
0006666634.tif 000007